【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
チャネル状態情報を算出するための測定を行う測定部と、
第１の情報または第２の情報に基づいて、第１のサブフレームセットおよび第２のサブフレームセットを含む２つのサブフレームセットを設定する設定部と、
前記第１のサブフレームセットに対応するチャネル状態情報報告と前記第２のサブフレームセットに対応するチャネル状態情報報告を送信する送信部と、
を備え、
前記第２の情報が設定される場合には、前記第１の情報は設定されず、
前記第２の情報に基づいて前記２つのサブフレームセットが設定された場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応するチャネル状態情報報告がドロップされる
ユーザ端末。
【請求項２】
前記複数のチャネル状態情報報告が、前記第１の情報に基づく前記２つのサブフレームセットに対応する場合には、前記同一の優先度の前記物理上りリンク制御チャネルレポーティングタイプを有する前記同一のサービングセルの複数のチャネル状態情報報告の衝突が生じない請求項１に記載のユーザ端末。
【請求項３】
前記チャネル状態情報は、チャネル品質指標を、少なくとも含む請求項１に記載のユーザ端末。
【請求項４】
前記同一の優先度の前記物理上りリンク制御チャネルレポーティングタイプを有する前記同一のサービングセルの前記複数のチャネル状態情報報告は、前記第１のサブフレームセットに対応する前記チャネル状態情報報告および前記第２のサブフレームセットに対応する前記チャネル状態情報報告を含む請求項１に記載のユーザ端末。
【請求項５】
第１のサブフレームセットおよび第２のサブフレームセットを含む２つのサブフレームセットを設定する、第１の情報または第２の情報を送信する送信部と、
前記第１のサブフレームセットに対応するチャネル状態情報報告と前記第２のサブフレームセットに対応するチャネル状態情報報告とを受信する受信部と、
を備え、
前記送信部は、
前記第２の情報を送信する場合には、前記第１の情報を送信せず、
前記受信部は、
前記第２の情報に基づいて前記２つのサブフレームセットを設定した場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応する前記チャネル状態情報報告がドロップされると想定する
基地局装置。
【請求項６】
前記複数のチャネル状態情報報告が、前記第１の情報に基づく前記２つのサブフレームセットに対応する場合には、前記同一の優先度の前記物理上りリンク制御チャネルレポーティングタイプを有する前記同一のサービングセルの複数のチャネル状態情報報告の衝突が生じない請求項５に記載の基地局装置。
【請求項７】
前記チャネル状態情報は、チャネル品質指標を、少なくとも含む請求項５に記載の基地局装置。
【請求項８】
前記同一の優先度の前記物理上りリンク制御チャネルレポーティングタイプを有する前記同一のサービングセルの前記複数のチャネル状態情報報告は、前記第１のサブフレームセットに対応する前記チャネル状態情報報告および前記第２のサブフレームセットに対応する前記チャネル状態情報報告を含む請求項５に記載の基地局装置。
【請求項９】
ユーザ端末における通信方法であって、
チャネル状態情報を算出するための測定を行い、
第１の情報または第２の情報に基づいて、第１のサブフレームセットおよび第２のサブフレームセットを含む２つのサブフレームセットを設定し、
前記第１のサブフレームセットに対応するチャネル状態情報報告と前記第２のサブフレームセットに対応するチャネル状態情報報告を送信し、
前記第２の情報が設定される場合には、前記第１の情報は設定されず、
前記第２の情報に基づいて前記２つのサブフレームセットが設定された場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応するチャネル状態情報報告がドロップされる
通信方法。
【請求項１０】
基地局装置における通信方法であって、
第１のサブフレームセットおよび第２のサブフレームセットを含む２つのサブフレームセットを設定する、第１の情報または第２の情報を送信し、
前記第１のサブフレームセットに対応するチャネル状態情報報告と前記第２のサブフレームセットに対応するチャネル状態情報報告とを受信し、
前記第２の情報を送信する場合には、前記第１の情報を送信せず、
前記第２の情報に基づいて前記２つのサブフレームセットを設定した場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応する前記チャネル状態情報報告がドロップされると想定する
通信方法。
【手続補正２】
【補正対象書類名】明細書
【補正対象項目名】００１１
【補正方法】変更
【補正の内容】
【００１１】
（１）上記の目的を達成するために、本発明のいくつかの態様は、以下のような手段を講じた。すなわち、本発明の一態様によるユーザ端末は、チャネル状態情報を算出するための測定を行う測定部と、第１の情報または第２の情報に基づいて、第１のサブフレームセットおよび第２のサブフレームセットを含む２つのサブフレームセットを設定する設定部と、前記第１のサブフレームセットに対応するチャネル状態情報報告と前記第２のサブフレームセットに対応するチャネル状態情報報告を送信する送信部と、を備え、前記第２の情報が設定される場合には、前記第１の情報は設定されず、前記第２の情報に基づいて前記２つのサブフレームセットが設定された場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応するチャネル状態情報報告がドロップされる。
【手続補正３】
【補正対象書類名】明細書
【補正対象項目名】００１２
【補正方法】変更
【補正の内容】
【００１２】
（２）また、本発明の一態様による基地局装置は、第１のサブフレームセットおよび第２のサブフレームセットを含む２つのサブフレームセットを設定する、第１の情報または第２の情報を送信する送信部と、前記第１のサブフレームセットに対応するチャネル状態情報報告と前記第２のサブフレームセットに対応するチャネル状態情報報告とを受信する受信部と、を備え、前記送信部は、前記第２の情報を送信する場合には、前記第１の情報を送信せず、前記受信部は、前記第２の情報に基づいて前記２つのサブフレームセットを設定した場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応する前記チャネル状態情報報告がドロップされると想定する。
【手続補正４】
【補正対象書類名】明細書
【補正対象項目名】００１３
【補正方法】変更
【補正の内容】
【００１３】
（３）また、本発明の一態様によるユーザ端末における通信方法は、チャネル状態情報を算出するための測定を行い、第１の情報または第２の情報に基づいて、第１のサブフレームセットおよび第２のサブフレームセットを含む２つのサブフレームセットを設定し、前記第１のサブフレームセットに対応するチャネル状態情報報告と前記第２のサブフレームセットに対応するチャネル状態情報報告を送信し、前記第２の情報が設定される場合には、前記第１の情報は設定されず、前記第２の情報に基づいて前記２つのサブフレームセットが設定された場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応するチャネル状態情報報告がドロップされる。
【手続補正５】
【補正対象書類名】明細書
【補正対象項目名】００１４
【補正方法】変更
【補正の内容】
【００１４】
（４）また、本発明の一態様による基地局装置における通信方法は、第１のサブフレームセットおよび第２のサブフレームセットを含む２つのサブフレームセットを設定する、第１の情報または第２の情報を送信し、前記第１のサブフレームセットに対応するチャネル状態情報報告と前記第２のサブフレームセットに対応するチャネル状態情報報告とを受信し、前記第２の情報を送信する場合には、前記第１の情報を送信せず、前記第２の情報に基づいて前記２つのサブフレームセットを設定した場合であって、同一のサービングセルの複数のチャネル状態情報報告が衝突し、前記複数のチャネル状態情報報告が同一の優先度の物理上りリンク制御チャネルレポーティングタイプを有する場合には、前記第２のサブフレームセットに対応する前記チャネル状態情報報告がドロップされると想定する。
【手続補正６】
【補正対象書類名】明細書
【補正対象項目名】０１０９
【補正方法】変更
【補正の内容】
【０１０９】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、測定部３０５９から入力された伝搬路の推定値から、ＰＵＣＣＨとＰＵＳＣＨの伝搬路の補償を行なう。また、多重分離部３０５５は、分離した上りリンク参照信号を測定部３０５９に出力する。
【手続補正７】
【補正対象書類名】明細書
【補正対象項目名】０１３１
【補正方法】変更
【補正の内容】
【０１３１】
複数のサービングセルが設定された移動局装置１は、サービングセルのそれぞれに対して、第１の情報、第２の情報、および、第３の情報に基づいて、第１の上りリンク参照ＵＬ−ＤＬ設定、第１の下りリンク参照ＵＬ−ＤＬ設定、および、送信方向ＵＬ−ＤＬ設定をセットしてもよい。
【手続補正８】
【補正対象書類名】明細書
【補正対象項目名】０１３２
【補正方法】変更
【補正の内容】
【０１３２】
１つのプライマリーセルおよび１つのセカンダリーセルから構成される２つのサービングセルが設定された移動局装置１は、プライマリーセルに対する第１の上りリンク参照ＵＬ−ＤＬ設定、プライマリーセルに対する第１の下りリンク参照ＵＬ−ＤＬ設定、プライマリーセルに対する送信方向ＵＬ−ＤＬ設定、セカンダリーセルに対する第１の上りリンク参照ＵＬ−ＤＬ設定、セカンダリーセルに対する第１の下りリンク参照ＵＬ−ＤＬ設定、セカンダリーセルに対する送信方向ＵＬ−ＤＬ設定をセットしてもよい。
【手続補正９】
【補正対象書類名】明細書
【補正対象項目名】０３０３
【補正方法】変更
【補正の内容】
【０３０３】
上記までの、図２６、図２７、図２８において、複数のサブフレームセットが設定される場合、ある１つのサブフレームは複数のサブフレームセットに属さないことが好ましい。すなわち、ある１つのサブフレームは、複数のサブフレームセットにおいて、最大で１つのサブフレームセットに属することが好ましい。
【手続補正１０】
【補正対象書類名】明細書
【補正対象項目名】０３８４
【補正方法】変更
【補正の内容】
【０３８４】
ピリオディックＣＳＩを送信可能な所定のサブフレームにおいて、複数のピリオディックＣＳＩ報告が同時に発生した場合（複数のピリオディックＣＳＩ報告が衝突した場合）、ピリオディックＣＳＩ報告は、セルインデックスの優先度、および／または、サブフレームセットインデックスの優先度、および／または、ＰＵＣＣＨレポーティングタイプの優先度に基づいて、１つのピリオディックＣＳＩ報告が送信される。すなわち、優先度の低いピリオディックＣＳＩ報告の全てはドロップされ、優先度の高い１つのピリオディックＣＳＩ報告のみが送信される。